(57)【要約】【課題】遊技盤視認用透明部の周囲を装飾する装飾部を遊技盤の機種に個別に対応して新しくすることが可能な構造を採用するとともに、当該装飾部の立体感を高め、演出用操作ボタンの操作を起因とした演出を初心者にも容易に体験させる。【解決手段】前扉体６には、透明性を有した透明収納部６２が遊技盤視認用透明窓６１の上側に形成され、当該透明収納部６２には立体形状の装飾部材１０１を収納可能になっている。チャンスボタン５０１の操作面５０２は、前後幅の約９０％が前記上側パネル部７２の側方側の部分７８Ｌ、７８Ｒより手前側に配置しているので、遊技者が初心者の場合にも、容易に演出用操作ボタンであるチャンスボタン５０１の位置の確認を行え、演出用操作ボタンの操作による演出を容易に体験させることができ、遊技者と遊技施設の関係者の双方に好印象を与えることができる。【選択図】図１
2011072554.tif 000002
【特許請求の範囲】
【請求項１】
枠状に形成された固定枠と、
枠状に形成され、前記固定枠に対して開閉可能に支持され、枠形状の内側に遊技盤が着脱可能な遊技盤取付枠と、
前記遊技盤取付枠の前面に開閉可能な状態で支持され、前記遊技盤取付枠に取り付けられた遊技盤を視認可能にする遊技盤視認用透明窓が設けられるとともに、透明性を有した透明収納部が前記遊技盤視認用透明窓の上側、一方及び他方の脇側のうち少なくとも一つの側に形成され、当該透明収納部に立体形状の装飾部材を挿脱可能な状態で収納する前扉体と、
前記前扉体の前記遊技盤視認用透明窓より下側に設けられ、遊技球の貯留を行う上側が開放した凹形状の遊技球供給皿が形成され、当該遊技球供給皿の縁部に上側パネル部が形成され、当該上側パネル部の幅方向の中央部に開口部が形成され、当該上側パネル部の一方及び他方の脇側の手前に段部を介して下側に配置する下側パネル部を有する受皿ユニットと、
前記上側パネル部の前記開口部に挿入した状態で取付けられ、演出に関わる外部操作が可能な操作面を有する演出用操作ボタンと、
を備え、
前記受皿ユニットは、前記上側パネル部の幅方向の中間に位置する前記開口部の縁部が当該上側パネル部の側方側の部分より手前に突出して形成され、前記演出用操作ボタンの前記操作面は、前後幅の５０％以上が前記上側パネル部の側方側の部分より手前側に配置していることを特徴とする遊技機。
【請求項２】
前記上側パネル部の側方側の部分には、情報を表示する情報表示手段が設けられていることを特徴とする請求項１に記載の遊技機。
【請求項３】
記録媒体の挿排口を備え当該記録媒体に記録された金額の残高に応じて遊技球の球貸しの制御を行う遊技球貸出装置が送受信可能に接続され、前記情報表示手段は前記記録媒体に記録された金額の残高の情報を表示することを特徴とする請求項２に記載の遊技機。
【請求項４】
前記下側パネル部には外部操作可能な下側操作部が設けられていることを特徴とする請求項１ないし３のいずれかに記載の遊技機。
【請求項５】
前記下側パネル部の下側には演出用の照明を行う下側電飾部が設けられていることを特徴とする請求項１ないし４のいずれかに記載の遊技機。
【請求項６】
前記下側パネル部には音声の放音を行う放音部が設けられていることを特徴とする請求項１ないし５のいずれかに記載の遊技機。
【請求項７】
前記受皿ユニットの前記段部には音声の放音を行う放音部が設けられていることを特徴とする請求項１ないし６のいずれかに記載の遊技機。
【請求項８】
前記透明窓及び前記透明収納部は、透明の素材により一体成形されていることを特徴とする請求項１ないし７のいずれかに記載の遊技機。
【請求項９】
前記装飾部材は、前記遊技盤に取り付け固定されていることを特徴とする請求項１ないし８のいずれかに記載の遊技機。
【発明の詳細な説明】
【技術分野】
【０００１】
本発明は、遊技盤が着脱可能な遊技盤取付枠の前面に前扉体が開閉可能な状態で支持される遊技機に関する。
【背景技術】
【０００２】
従来のパチンコ遊技機は、通常、木枠の前面に、前枠と呼ばれ遊技盤を取り付けるための遊技盤取付枠がヒンジを介して開閉可能に取り付けられ、その遊技盤取付枠の前面に、遊技盤の前面を覆うように、ガラス板を装着したガラス枠がヒンジを介して開閉可能に取り付けられている。
【０００３】
近年、パチンコ遊技機では、その前面装飾を目立たせる目的で、ガラス枠の前面周縁部に多彩な色等で装飾した合成樹脂製のガラス板装飾枠を設けた構造のパチンコ遊技機が開発されている。ここで遊技施設では、遊技者の興味を引き集客性を向上させるために、通常、ある程度の期間で新台入替を行なうが、パチンコ遊技機の遊技盤が使用に伴って汚れ易いこと、及びパチンコ遊技機全体を新たなパチンコ遊技機に交換するには多くの費用が必要なことから、通常の新台入替は、遊技盤のみを交換することにより行なわれる。
【０００４】
このため、合成樹脂製のガラス板装飾枠を前面に有したパチンコ遊技機であっても、パチンコホールが新台入替えを行なう際には、遊技盤を新しいものと交換するのみで、ガラス板装飾枠は、従来のものを使用することになるため、遊技者には、新台入替の目新しさを感じさせにくいという問題があった。
【０００５】
このことに対応して、特許文献１に記載のパチンコ遊技機では、遊技盤を取り付ける遊技盤取付枠と、この遊技盤取付枠の前面に開閉可能に設けられ、周縁部に透光性を有する透光透明部を形成した前面装飾枠と、この前面装飾枠の後側に着脱可能な状態で配置し、周縁部に装飾を施した装飾部を有すると共に中央に遊技盤を外部から視認可能にする遊技盤視認用透明部を有したガラス板部材とを備え、前記前面装飾枠の周縁部の透光透明部から前記ガラス板部材の装飾部を見えるようにすることで、遊技盤視認用透明部の周囲を装飾する装飾部を簡単に新しくすることができる技術が開示されている。
【０００６】
一方、近年、パチンコ遊技機は、特許文献２に記載のように遊技者が遊技中に操作可能な演出用操作ボタン（チャンスボタン）を備え、遊技者が演出用操作ボタンを操作することにより液晶表示装置の表示画像やランプ装置による演出パターンを変化させる演出が広く採用されている。
【先行技術文献】
【特許文献】
【０００７】
【特許文献１】特許第３８０６７９８号公報（段落００１５〜００１９、図１、図３）
【特許文献２】特開２００９−１１２４１２号公報（段落００１１、図２）
【発明の概要】
【発明が解決しようとする課題】
【０００８】
上述のように従来のパチンコ遊技機では、遊技盤の交換の際に遊技盤視認用透明部の周囲を装飾する装飾部を遊技盤の機種に個別に対応して新しくすることが可能な構造を採用した場合、前記装飾部が平面形状になり立体感に乏しく、前記装飾部に対して可動部や発光部等の演出装置を組み込むのが困難であった。また、従来のパチンコ機においては、遊技者が遊技中に操作可能な演出用操作ボタンを配置し遊技者が演出用操作ボタンを操作することにより液晶表示装置の表示画像やランプ装置によるによる演出パターンを変化させる演出が広く採用されているが、遊技者が初心者の場合には、演出用操作ボタンの位置の確認を行えず、演出用操作ボタンの操作による演出を体験できないことが多々あった。
【０００９】
本発明は、上記の問題に鑑み、遊技盤の交換の際に遊技盤視認用透明部の周囲を装飾する装飾部を遊技盤の機種に個別に対応して新しくすることが可能な構造を採用するとともに、当該装飾部の立体感を高め、演出用操作ボタンの操作を起因とした演出を初心者にも容易に体験させることができる遊技機を提供することを目的とする。
【課題を解決するための手段】
【００１０】
請求項１に記載の発明の遊技機は、枠状に形成された固定枠と、枠状に形成され、前記固定枠に対して開閉可能に支持され、枠形状の内側に遊技盤が着脱可能な遊技盤取付枠と、前記遊技盤取付枠の前面に開閉可能な状態で支持され、前記遊技盤取付枠に取り付けられた遊技盤を視認可能にする遊技盤視認用透明窓が設けられるとともに、透明性を有した透明収納部が前記遊技盤視認用透明窓の上側、一方及び他方の脇側のうち少なくとも一つの側に形成され、当該透明収納部に立体形状の装飾部材を挿脱可能な状態で収納する前扉体と、前記前扉体の前記遊技盤視認用透明窓より下側に設けられ、遊技球の貯留を行う上側が開放した凹形状の遊技球供給皿が形成され、当該遊技球供給皿の縁部に上側パネル部が形成され、当該上側パネル部の幅方向の中央部に開口部が形成され、当該上側パネル部の一方及び他方の脇側の手前に段部を介して下側に配置する下側パネル部を有する受皿ユニットと、前記上側パネル部の前記開口部に挿入した状態で取付けられ、演出に関わる外部操作が可能な操作面を有する演出用操作ボタンと、を備え、前記受皿ユニットは、前記上側パネル部の幅方向の中間に位置する前記開口部の縁部が当該上側パネル部の側方側の部分より手前に突出して形成され、前記演出用操作ボタンの前記操作面は、前後幅の５０％以上が前記上側パネル部の側方側の部分より手前側に配置していることを特徴とする。
【００１１】
前記上側パネル部の側方側の部分には、情報を表示する情報表示手段が設けられていることを特徴とする（請求項２）。
【００１２】
記録媒体の挿排口を備え当該記録媒体に記録された金額の残高に応じて遊技球の球貸しの制御を行う遊技球貸出装置が送受信可能に接続され、前記情報表示手段は前記記録媒体に記録された金額の残高の情報を表示することを特徴とする（請求項３）。
【００１３】
前記下側パネル部には外部操作可能な下側操作部が設けられていることを特徴とする（請求項４）。
【００１４】
前記下側パネル部の下側には演出用の照明を行う下側電飾部が設けられていることを特徴とする（請求項５）。
【００１５】
前記下側パネル部には音声の放音を行う放音部が設けられていることを特徴とする（請求項６）。
【００１６】
前記受皿ユニットの前記段部には音声の放音を行う放音部が設けられていることを特徴とする（請求項７）。
【００１７】
前記透明窓及び前記透明収納部は、透明の素材により一体成形されていることを特徴とする（請求項８）。
【００１８】
前記装飾部材は、前記遊技盤に取り付け固定されていることを特徴とする（請求項９）。
【００１９】
従来、遊技盤の交換の際に遊技盤視認用透明部の周囲を装飾する装飾部を遊技盤の機種に個別に対応して新しくする技術では、前記装飾部が平面形状であり、立体感に乏しく、可動部や発光部等の演出装置を組み込むのが困難であった。また、従来のパチンコ機においては、遊技者が遊技中に操作可能な演出用操作ボタンを配置し遊技者が演出用操作ボタンを操作することにより液晶表示装置の表示画像やランプ装置によるによる演出パターンを変化させる演出が広く採用されているが、遊技者が初心者の場合には、演出用操作ボタンの位置の確認を行えず、演出用操作ボタンの操作による演出を体験できないことが多々あった。
【００２０】
これに対し、本発明では、前扉体には、透明性を有した透明収納部が前記遊技盤視認用透明窓の上側、一方及び他方の脇側のうち少なくとも一つの側に形成され、当該透明収納部には立体形状の装飾部材を挿脱可能な状態で収納するので、遊技盤の交換の際に遊技盤視認用透明部の周囲を装飾する装飾部を遊技盤の機種に個別に対応して新しくすることが可能な構造を採用するとともに、装飾部の立体感を高め、装飾部に可動部や発光部等の演出装置を組み込むのを容易にして、遊技者に新台入替の目新しさを強く感じさせることができ、また、演出用操作ボタンの操作面は、前後幅の５０％以上が上側パネル部の側方側の部分より手前側に配置しているので、遊技者が初心者の場合にも、容易に演出用操作ボタンの位置の確認を行え、演出用操作ボタンの操作による演出を容易に体験させることができる。
【発明の効果】
【００２１】
本発明によれば、前扉体には、透明性を有した透明収納部が前記遊技盤視認用透明窓の上側、一方及び他方の脇側のうち少なくとも一つの側に形成され、当該透明収納部には立体形状の装飾部材を挿脱可能な状態で収納するので、遊技盤の交換の際に遊技盤視認用透明部の周囲を装飾する装飾部を遊技盤の機種に個別に対応して新しくすることが可能な構造を採用するとともに、装飾部の立体感を高め、装飾部に可動部や発光部等の演出装置を組み込むのを容易に容易にして、遊技者に新台入替の目新しさを強く感じさせることができ、また、演出用操作ボタンの操作面は、前後幅の５０％以上が側方側パネル部の前辺より手前側に突出しているので、遊技者が初心者の場合にも、容易に演出用操作ボタンの位置の確認を行え、演出用操作ボタンの操作による演出を容易に体験させることができ、遊技者と遊技施設の関係者の双方に好印象を与えることができる。
【図面の簡単な説明】
【００２２】
【図１】本発明に係る第１の実施形態の遊技機を示す斜視図である。
【図２】本発明に係る第１の実施形態の遊技機の分解斜視図である。
【図３】本発明に係る第１の実施形態の遊技機の正面図である。
【図４】本発明に係る第１の実施形態の遊技機の前扉体を不透明にして示す斜視図である。
【図５】本発明に係る第１の実施形態の遊技機の背面図である。
【図６】本発明に係る第１の実施形態の遊技機の左斜め後方から見た斜視図である。
【図７】本発明に係る第１の実施形態の遊技機の右側方から見た断面の概略を示す説明図である。
【図８】本発明に係る第１の実施形態の受皿ユニットの上側パネル部及びその周辺部を示す平面図である。
【図９】本発明に係る第１の実施形態の遊技機及びこれと接続する機材の回路構成を示すブロック図である。
【図１０】本発明に係る第１の実施形態の固定枠の分解斜視図である。
【図１１】本発明に係る第１の実施形態の遊技盤取付枠の斜視図である。
【図１２】本発明に係る第１の実施形態の遊技盤の斜視図である。
【図１３】本発明に係る第１の実施形態の前扉体の右斜め前方から見た斜視図である。
【図１４】本発明に係る第１の実施形態の前扉セットの右斜め後方から見た斜視図である。
【図１５】本発明に係る第１の実施形態の固定枠と遊技盤取付枠を組み立てた状態の斜視図である。
【図１６】本発明に係る第１の実施形態の固定枠と遊技盤取付枠を組み立て遊技盤取付枠に遊技盤を取り付けた状態の斜視図である。
【図１７】本発明に係る第１の実施形態の固定枠から遊技盤取付枠を開いた状態の遊技機の斜視図である。
【図１８】本発明に係る第１の実施形態の遊技盤取付枠から前扉セットを開いた状態の遊技機の斜視図である。
【００２３】
【図１９】本発明に係る第２の実施形態の遊技機を示す斜視図である。
【図２０】本発明に係る第２の実施形態の受皿ユニットの上側パネル部及びその周辺部を示す平面図である。
【発明を実施するための形態】
【００２４】
以下、本発明に第１の実施形態について図面を参照しながら具体的に説明する。
【００２５】
（１）第１の実施形態
図１乃至図９は本発明に係る第１の実施形態を示している。
図１は、本発明に係る第１の実施形態の遊技機１を示す斜視図である。図２は、遊技機１の分解斜視図である。図３は、遊技機１の正面図である。図４は、遊技機１の前扉体６を不透明にして示す斜視図である。図５は、図１の遊技機１の背面図である。図６は、遊技機１の斜め後方から見た斜視図である。図７は、遊技機１の右側方から見た断面の概略を示す説明図である。図８は、受皿ユニット７の上側パネル部７２及びその周辺部を示す平面図である。図９は、遊技機１及びこれと接続する機材の回路構成を示すブロック図である。
【００２６】
初めに遊技機１の全体構成の説明をする。
図１において、遊技機１は、固定枠（外枠）２と、遊技盤取付枠（内枠）３と、遊技盤４と、前扉セット５とから構成されている。
固定枠２は、ホールにおいて遊技機１が配置される遊技島設備に固定されものであり、機枠又は機体として所定の外郭方形枠サイズに構成されている。
【００２７】
遊技盤取付枠３は、枠状に形成され、正面左側上下部に配設された開閉連結支持機構１１、１２（図３参照）を介して固定枠２に開閉（片持ち横開き）可能に組付けられることで、前記固定枠２に対して開閉可能に支持されている。
遊技盤取付枠３は、枠形状の内側に遊技盤４が着脱可能にセット保持されている。遊技盤４は、パチンコゲームを展開し得るものである。また、遊技盤取付枠３は、遊技機１の正面右側下部に配設されたシリンダ錠１３及びこれと連動する後述の施錠装置１６１（図１１参照）を利用して固定枠２に対して閉鎖状態に保持される。
【００２８】
遊技盤取付枠３の正面側には、遊技盤取付枠３の前側面域に合わせた方形状の前扉セット５が横開き開閉及び着脱が可能に組付けられており、シリンダ錠１３及びこれと連動する後述の施錠装置１６１（図１１参照）を利用して遊技盤取付枠３の前面を覆う閉止状態で保持される。
【００２９】
図２において、固定枠２は、固定枠本体２１の下部に装飾部材２２がネジ止めにより取り付け固定される構造になっている。
前扉セット５は、前扉体６及び受皿ユニット７から構成されている。
【００３０】
図1及び図２において、前扉体６は、前記遊技盤取付枠３の前面に開閉可能な状態で支持されている。前扉体６には、前記遊技盤取付枠３に取り付けられた遊技盤４を視認可能にする透明性の遊技盤視認用透明窓６１（図４参照）が設けられるとともに、透明性を有する透明収納部６２（図４参照）が前記遊技盤視認用透明窓６１の上側に形成され、当該透明収納部６２には、遊技盤４側の立体形状の装飾部材１０１が挿脱可能な状態で収納されるようになっている。当該透明収納部６２は、装飾部材１０１を外部から視認可能にする。前記遊技盤視認用透明窓６１及び前記透明収納部６２は、ポリカーボネート等の透明の素材により一体成形されている。
【００３１】
受皿ユニット７は、樹脂製のケース本体７０を基本構造とし、前記前扉体６の前記遊技盤視認用透明窓６１より下側に設けられている。受皿ユニット７には、上側が開放した凹形状の前記遊技球供給皿７１が形成されている。前記遊技球供給皿７１は、前扉体６の球払出口６４から払い出された遊技球を貯留して整列させる。
【００３２】
図７において、遊技盤取付枠３に取り付けられた遊技盤４は、基材となる遊技板４０の前面に設けられた遊技領域４１を前記前扉体６の正面に臨ませている。
【００３３】
図１において、受皿ユニット７の右下方位置には、遊技盤取付枠３に設けられた発射部３１（図２参照）を作動させる操作ハンドル６５が配置されている。
操作ハンドル６５は前扉体６から遊技者側へ突出し、前記発射部３１（図２参照）の駆動によって遊技球を発射させる際に遊技者によって操作されている。
【００３４】
操作ハンドル６５は前記発射部３１（図２参照）を駆動させて遊技球を発射させる発射指示部材６６を備えている。発射指示部材６６は、操作ハンドル６５の外周部に、遊技者から見て右回りに回転可能に設けられ、この回転に連動する発射ボリューム６５ａ（図９参照）を有し、遊技者によって直接操作されているときに発射ボリューム６５ａの抵抗値によって発射部３１（図２参照）に遊技球発射の指示を与える。また、操作ハンドル６５には遊技者が発射指示部材６６を直接操作していることを検出するタッチセンサ６５ｂ（図９参照）等が内蔵されている。操作ハンドル６５に接触すると、操作ハンドル６５に設けられているタッチセンサ６５ｂが、操作ハンドル６５に遊技者が触れたことを検知し、発射制御基板３６（図６及び図９参照）にタッチ信号を送信する。発射制御基板３６は、タッチセンサ６５ｂからタッチ信号を受信すると、発射部３１の発射用ソレノイド３１ａ（図９参照）の通電を許可する。
【００３５】
発射部３１の駆動によって発射された遊技球は、遊技盤４の遊技板４０に取り付けられた外側及び内側のレール４２、４３間を上昇して遊技盤４の上部位置に達した後、遊技領域４１内を落下する。遊技領域４１には、遊技球を不特定の方向に向けて落下させるための複数の釘に加え、遊技球の落下方向を変化させる風車や入球口が配置されている。
【００３６】
遊技領域４１の中央部分にはセンター役物４４が配置されている。センター役物４４には、例えば液晶表示器（ＬＣＤ）を用いた画像出力装置４５が配置されている。
【００３７】
画像出力装置４５の下方には遊技球を受入れ可能な第１始動口４６が配置され、第１始動口４６の下方には一対の可動片４７Ｌ、４７Ｒ（図３参照）を有する第２始動口４８が配置されている。第２始動口４８は一対の可動片４７Ｌ、４７Ｒ（図３参照）が閉状態のときに遊技球の受入れを困難にし、開状態のときに第１始動口４６よりも遊技球の受入れを容易にする。
【００３８】
画像出力装置４５の左側には、遊技球の通過を検出し、第２始動口４８を一定時間だけ開放させる普通図柄の抽選を行うための入賞ゲート４９が配置されている。入賞ゲート４９の下方位置等には、遊技球が入球したときに所定数（例えば１０個）の賞球払い出しの権利を獲得する普通入賞口５０ａ、５０ｂ、５０ｃ、５０ｄが配置されている。遊技領域４１の最下部にはどの入球口にも入球しなかった遊技球を回収する回収口５１が配置されている。
【００３９】
図３において、遊技板４０の右下には、主制御基板４０１（図９参照）に設けられた第１特別図柄抽選手段による抽選結果を表示する第１特別図柄表示装置５２、及び主制御基板４０１（図９参照）に設けられた第２特別図柄抽選手段による抽選結果を表示する第２特別図柄表示装置５３が配置されている。これら両表示装置５２、５３には特別図柄が変動表示されていると共に、所定時間経過後に所定の図柄が停止表示され、始動口への遊技球の入球を契機とする抽選の結果が表示されている。両表示装置５２、５３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００４０】
特別図柄の変動表示中に第１始動口４６、あるいは第２始動口４８に遊技球が入球すると、当該入球によって得られる特別図柄の変動表示の権利（以下「保留球」という）が留保されている。この留保された保留球の数は第１特別図柄保留表示装置５４及び第２特別図柄保留表示装置５５に表示されている。
【００４１】
特別図柄の変動表示中に入賞ゲート４９に遊技球が入球すると、普通図柄抽選手段による抽選が行われるが、この抽選結果を表示する普通図柄表示装置５６が前記両表示装置５２、５３の付近に配置されている。普通図柄の変動表示中に入賞ゲート４９に遊技球が入球することによって得られる普通図柄の変動表示の権利、すなわち保留球の数が普通図柄表示装置５７に表示されている。
【００４２】
画像出力装置４５は第１始動口４６、または第２始動口４８に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域４１の下方に位置する大入賞口ユニット５８における開閉扉５９が一定時間、開放する動作を所定回数（例えば１５回）繰り返し、入球した遊技球に対応する賞球が払い出されている。
【００４３】
大入賞口ユニット５８は遊技盤４に設けられた大入賞口６０を開閉する開閉扉５９を開閉自在に支持し、開閉扉５９が大入賞口６０の前面（表面）側に位置した状態で、遊技盤４の背面に設置されている。開閉扉５９は通常時には閉鎖して大入賞口６０を閉塞しており、大入賞口６０に遊技球が入球することを阻止している。大当たり遊技が開始されたときには、大入賞口開閉ソレノイド５８ｂ（図９参照）への通電により開閉扉５９が開放して大入賞口６０を開放させる。大入賞口６０の開放時には、開閉扉５９が遊技球を大入賞口６０内に導くための受け皿として機能するため、大入賞口６０に遊技球が入球可能となる。
【００４４】
センター役物４４における画像出力装置４５の上側及び側方（図１においては紙面右側）には、演出用の役物装置（以下、「演出用役物装置」という）９１、９２が配置されている。演出用役物装置９１、９２は例えばモータによって駆動されるようになっている。センター役物４４における演出用役物装置９１の上側には、遊技機１の商品名を模った電飾装置９３が設けられている。
【００４５】
遊技板４０の遊技領域４１の上側には、板面を上方に延出させて延出部１００が形成されている。延出部１００の前面には、装飾部材１０１が取り付けられている。装飾部材１０１は、前扉体６が閉塞された状態で透明収納部６２に収納され、外部から視認可能である。装飾部材１０１には、発光ダイオードによる光源が設けられており、演出内容に応じて発光するようになっている。
【００４６】
図１において、受皿ユニット７の前記遊技球供給皿７１の前側及び左右の縁部には、上側パネル部７２が形成されている。上側パネル部７２の左右両脇側の手前には、左右の段部７３Ｌ、７３Ｒを介して下側に配置する左右の下側パネル部７４Ｌ、７４Ｒを有している。上側パネル部７２は、板面が前側斜め上方に向いている。
【００４７】
上側パネル部７２の幅方向の中央部に開口部７５が形成されている。
開口部７５には、チャンスボタンユニット７６が設けられている。
【００４８】
チャンスボタンユニット７６は、円盤形状に形成され、上側の端面に外部操作が可能なチャンスボタン５０１の操作部５０２を有している。操作部５０２には、印刷によりマーク５０５が表記されている。チャンスボタンユニット７６の内部には、チャンスボタン５０１の操作部５０２に操作が行われたこと検出するチャンスボタン検出スイッチ７６ａ（図９参照）と、チャンスボタン５０１の操作部５０２が発光したように見せるための複数の発光ダイオード７６ｂ（図９参照）が設けられている。
【００４９】
上側パネル部７２は、当該上側パネル部７２の幅方向の中間に位置する前記開口部７５の縁部７７を当該上側パネル部７２の左右の側方側の部分７８Ｌ、７８Ｒより手前に突出させて形成し、チャンスボタン５０１の操作部５０２は、前後幅の約９０％が前記上側パネル部７２の側方側の部分７８Ｌ、７８Ｒより手前側に配置している。
【００５０】
チャンスボタンユニット７６の操作部５０２による操作は例えば遊技中における特定のリーチ演出に際し、チャンスボタンユニット７６の操作を促すガイダンスが表示されている間有効となる。上側パネル部７２の右の側方側の部分７８Ｒには、遊技球貸出装置２０（図３参照）に関わる変換ボタンとしての球貸しボタン７９と、返却ボタン８０が左右に並べて設けられている。上側パネル部７２の球貸しボタン７９と、返却ボタン８０より前には、複数のＬＥＤの点灯によって情報の表示を行う表示部８１が設けられている。
【００５１】
遊技機１は、図３に示す遊技球貸出装置（ＣＲ機）２０が送受信可能に接続されるようになっている。遊技球貸出装置２０は、プリペイドカード等の記録媒体のカード挿排口５００を備え当該記録媒体に記録された金額の残高に応じて遊技球の球貸しの制御を行う。図１に示す表示部８１は、前記記録媒体に記録された金額の残高の情報を表示するとともに前記球貸しボタン７９と、返却ボタン８０が有効中であるか否かを表示する。
【００５２】
図１において、球貸しボタン７９と、返却ボタン８０表示部８１の左側には、整列路８２が設けられている。整列路８２は、遊技球供給口８３に向けて下方にわずかに傾斜しており、前記遊技球供給皿７１からの遊技球を整列させて遊技球供給口８３に導く。
【００５３】
チャンスボタンユニット７６の右側には、球抜きボタン８４が設けられている。遊技機１は、球抜きボタン８４を手動で押し続けることにより、整列路８２の先端に設けた開閉板を移動させて球皿側球排出口８５を開放し、遊技球供給皿７１に貯留された遊技球を球抜きして下側球排出口８６（図７参照）に送るようにしている。下側球排出口８６から排出される遊技球は、通常、ドル箱と呼ばれる遊技球収納箱に受け止められ収納される。
【００５４】
遊技盤取付枠３には、演出効果音、または不正を知らしめる音声を出力するスピーカ３２Ｌ、３２Ｒ（図２参照）が組み込まれている。
【００５５】
前記左右の下側パネル部７４Ｌ、７４Ｒには、スピーカ３２Ｌ、３２Ｒ（図２参照）からの音声の放音を行う左右の平行四辺形形状放音部８７Ｌ、８７Ｒが設けられている。右の下側パネル部７４Ｒの右の横長形状放音部８７Ｒより後側にはシリンダ錠１３が設けられている。
【００５６】
図２に示すスピーカ３２Ｌ、３２Ｒは高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
【００５７】
左右の下側パネル部７４Ｌ、７４Ｒ及び上側パネル部７２の縁部７７の下側には、透明部８８が設けられ、透明部８８の内側には演出用の発光を行う複数の電飾装置８９が横方向に並べて設けられている。前記受皿ユニット７の透明部８８及び複数の電飾装置８９は、前記左右の下側パネル部７４Ｌ、７４Ｒの下側に設けられ、演出用の照明を行う受皿ユニット本体側電飾部になっている。
【００５８】
図４において、前扉体６の遊技盤視認用透明窓６１は、板面が前方に向いた平面形状に形成されている。透明収納部６２は、横長に形成され、板面が前側斜め下方に向いた平面形状の中間部２１１を左右に、前扉体６の左右のコーナー部２１２、２１３が設けられている。
【００５９】
以下、図５及び図６を用いて遊技機１の背面側について説明する。
図５及び図６において、遊技機１の裏面の上部には、遊技球を貯留する貯留タンク３３が設置されており、貯留タンク３３は、遊技機１の裏面の左側の上部賞球ケース３４に覆われた払出装置３５に接続されている。賞球ケース３４は、遊技球通路を介して入球に基づく賞球（景品）としての遊技球や球貸し要求に基づく遊技球を遊技者に払い出す。払出装置３５は、例えばステッピングモータ等の駆動部３１ｂ（図９参照）が駆動することによって、賞球または貸し球としての遊技球を１個ずつ遊技者に払い出す。
【００６０】
遊技機１の裏面の払出装置３５の下側には、発射制御基板３６及び払出制御基板３７が前後に並べた状態で取り付けられている。発射制御基板３６及び払出制御基板３７は、基板ケース３０１により収納されている。
【００６１】
遊技機１の裏面の払出制御基板３７の右側には、基板ケース３０２に収納された電源基板３８が取り付けられている。遊技機１の裏面の払出制御基板３７の上側には、払出情報出力端子板３９が設けられている。払出情報出力端子板３９は、基板ケース３０１により収納されている。
【００６２】
貯留タンク３３、賞球ケース３４、払出装置３５、発射制御基板３６、払出制御基板３７及び電源基板３８は、遊技盤取付枠３側に固定されている。
【００６３】
遊技機１の裏側の電源基板３８の上側には、基板ケース４１１に収納され主制御基板４０１が設けられる。遊技機１の裏側の主制御基板４０１と貯留タンク３３の間には、基板ケース４１３に収納され背面カバー４１２で覆われた演出制御基板４０２が設けられている。遊技機１の裏側の演出制御基板４０２の左側下方には、遊技情報出力端子板４０３が取り付けられている。
【００６４】
主制御基板４０１、演出制御基板４０２、遊技情報出力端子板４０３、基板ケース４１１、４１３及び背面カバー４１２は、遊技盤４側に取り付けられている。
【００６５】
以下、図７を用いて受皿ユニット７におけるチャンスボタンユニット７６の取り付け構造について説明する。
【００６６】
図７において、上側パネル部７２の縁部７７の裏面の後ろ側には、Ｌ字状のネジ止め部５１１が形成されている。チャンスボタンユニット７６は、チャンスボタン５０１の周囲にフランジ部５０３を有し、フランジ部５０３の下側にケース５０４を有している。
【００６７】
チャンスボタンユニット７６は、ケース５０４が前記開口部７５に挿入された状態でフランジ部５０３が縁部７７の表側に係止し、ケース５０４の下面がネジ５１２によりネジ止め部５１１にネジ止め固定されることで上側パネル部７２に固定されるようになっている。
【００６８】
図８において、チャンスボタン５０１の操作部５０２の前後幅をＡ１とし、操作部５０２の当該上側パネル部７２の左右の側方側の部分７８Ｌ、７８Ｒより手前に突出する操作部５０２の突出量をＡ２にすると、操作部５０２の突出量Ａ２は、操作部５０２の前後幅Ａ１の約９０％になっている。
【００６９】
（制御手段の内部構成）
次に、図９を用いて遊技の進行を制御する制御手段について説明する。
図９において、遊技機１の制御手段は、主制御基板４０１、演出制御基板４０２、払出制御基板３７、ランプ制御基板４０４及び画像制御基板４０５から構成されている。
【００７０】
主制御基板４０１は遊技の基本動作を制御する。この主制御基板４０１は、メインＣＰＵ４０１ａ、メインＲＯＭ４０１ｂ、メインＲＡＭ４０１ｃを備えている。メインＣＰＵ４０１ａは、各検出センサやタイマからの入力信号に基づいて、メインＲＯＭ４０１ｂに格納されたプログラムを読み出して演算処理を行うとともに、各装置や表示装置を直接制御したり、あるいは演算処理の結果に応じて他の基板に所定のコマンドを送信したりする。メインＲＡＭ４０１ｃは、メインＣＰＵ４０１ａの演算処理時におけるデータのワークエリアとして機能する。
【００７１】
前記主制御基板４０１の入力側には、第１始動口検出センサ４６ａ、第２始動口検出センサ４８ａ、第１大入賞口検出センサ５８ａ、入賞ゲート検出センサ４９ａ及び一般入賞口検出センサ５０ｅが接続されている。これら各センサ４６ａ、４８ａ、５８ａ、４９ａ、５０ｅは、それぞれ対応する検出信号を主制御基板４０１に送信する。
【００７２】
主制御基板４０１の出力側には、第２始動口４８の一対の可動片４７Ｌ、４７Ｒを動かす第２始動口開閉ソレノイド４８ｂ、大入賞口ユニット５８の大入賞口開閉扉５９を動かす大入賞口開閉ソレノイド５８ｂが接続されている。主制御基板４０１は、出力ポート（図示せず）を介して各ソレノイド４８ｂ、５８ｂを制御する信号を各ソレノイド４８ｂ、５８ｂに送信する。また、主制御基板４０１の出力側には、第１特別図柄表示装置５２、第２特別図柄表示装置５３及び普通図柄表示装置５６が接続されるとともに、第１特別図柄保留表示装置５４、第２特別図柄保留表示装置５５及び普通図柄保留表示装置５７が接続されている。主制御基板４０１は、出力ポート（図示せず）を介して各表示装置５２、５３、５４、５５、５６、５７を制御する信号を各表示装置５２、５３、５４、５５、５６、５７に送信する。また、主制御基板４０１は、第１始動口検出センサ４６ａ、第２始動口検出センサ４８ａ、一般入賞口検出センサ５０ｅ及び第１大入賞口検出センサ５８ａの検出結果に基づき、各入球口（第１始動口４６、第２始動口４８、普通入賞口５０ａ、５０ｂ、５０ｃ、５０ｄ、大入賞口６０）に入球した遊技球に対応した賞球数を払い出させる賞球要求信号を払出制御基板３７に送信する。
【００７３】
さらに、主制御基板４０１の出力側には遊技情報出力端子板４０３が接続されている。主制御基板４０１は、出力ポートを介して、所定の遊技に関する情報（以下、遊技情報という）が変換された外部信号を遊技情報出力端子板４０３に送信する。遊技情報出力端子板４０３には遊技機1の外側に設けられた遊技情報表示装置１０及び遊技店のホールコンピュータが接続されており、遊技情報出力端子板４０３からは前記の所定の遊技情報（外部信号）が遊技情報表示装置１０及びホールコンピュータに送信される。遊技者には、所定の遊技情報が遊技情報表示装置１０で出力（表示）されることで、遊技機（台）選びの判断材料が提供されることになる。一方、遊技店は、前記所定の遊技情報がホールコンピュータに接続された表示装置やプリンターで出力（表示・印刷）されることで、各遊技機の稼働状況を把握することができる。
【００７４】
演出制御基板４０２は、主に遊技中や待機中等の各演出を制御する。この演出制御基板４０２は、サブＣＰＵ４０２ａ、サブＲＯＭ４０２ｂ、サブＲＡＭ４０２ｃを備えており、主制御基板４０１に、当該主制御基板４０１から演出制御基板４０２への一方向に通信可能に接続されている。また、演出制御基板４０２の入力側には、チャンスボタン検出スイッチ７６ａが接続されている。演出制御基板４０２には、チャンスボタンユニット７６の操作部５０２に操作が行われたことを示す演出ボタン検出信号がチャンスボタン検出スイッチ７６ａから送信される。
【００７５】
サブＣＰＵ４０２ａは、主制御基板４０１から送信されたコマンド、または、前記チャンスボタン検出スイッチ７６ａや図示しないタイマからの受信信号に基づいて、サブＲＯＭ４０２ｂに格納されたプログラムを読み出して演算処理を行うとともに、当該処理に基づいて、コマンドをランプ制御基板４０４や画像制御基板４０５に送信する。サブＲＡＭ４０２ｃは、サブＣＰＵ４０２ａの演算処理時におけるデータのワークエリアとして機能する。
【００７６】
払出制御基板３７は、遊技球の発射制御と遊技球の払い出し制御とを行う。この払出制御基板３７は、払出ＣＰＵ３７ａ、払出ＲＯＭ３７ｂ、払出ＲＡＭ３７ｃを備えており、主制御基板４０１及び発射制御基板３６に対して、双方向に通信可能に接続されている。
【００７７】
払出ＣＰＵ３７ａの入力側には、払出装置３５において遊技球が払い出されたか否かを検知する払出球計数スイッチ３５ａが接続されている。また、払出ＣＰＵ３７ａの入力側には、球貸しボタン７９の操作を検出する球貸しボタン検出スイッチ７９ａと、返却ボタン８０の操作を検出する返却ボタン検出スイッチ８０ａとが設けられている。
【００７８】
払出ＣＰＵ３７ａは、払出球計数スイッチ３５ａからの払出球検知信号と、球貸しボタン検出スイッチ７９ａからの球貸しボタン操作検出信号と、返却ボタン検出スイッチ８０ａからの返却ボタン操作検出信号と、タイマからの受信信号とに基づいて、払出ＲＯＭ３７ｂに格納されたプログラムを読み出して演算処理を行うとともに、当該処理に基づいて、対応するデータを主制御基板４０１に送信する。
【００７９】
払出制御基板３７の出力側には、貯留タンク３３から所定数の遊技球を遊技者に払い出すための払出装置３５の払出駆動部３５ｂが接続されている。払出ＣＰＵ３７ａは、主制御基板４０１から送信された賞球要求信号に基づいて、払出ＲＯＭ３７ｂから所定のプログラムを読み出して演算処理を行うとともに、払出装置３５を制御して所定の遊技球を遊技者に払い出す。このとき、払出ＲＡＭ３７ｃは、払出ＣＰＵ３７ａの演算処理時におけるデータのワークエリアとして機能する。
【００８０】
また、払出ＣＰＵ３７ａは、遊技機1の外側に設けられた遊技球貸出装置（カードユニット）２０が払出制御基板３７に接続されているか否かを確認し、遊技球貸出装置２０が接続されていれば、発射制御基板３６に遊技球を発射させることを許可する発射制御データを送信する。
【００８１】
払出制御基板３７の出力側には、表示部８１（図１参照）に設けられた遊技情報表示基板８１ａが接続されている。払出ＣＰＵ３７ａは、遊技球貸出装置２０から受信したデータに基づいて、遊技球貸出装置２０の前記カード挿排口５００に挿入されたカードの残高を情報表示基板８１ａに表示すとともに、球貸しボタン７９有効中である、即ち、遊技球貸出装置２０を用いた玉貸し可能であるか否かを情報表示基板８１ａに表示する。
【００８２】
発射制御基板３６は、払出制御基板３７から発射制御データを受信すると発射部３１（図２参照）による発射の許可を行う。そして、操作ハンドル６５（図１参照）に設けられたタッチセンサ６５ｂからのタッチ信号と発射指示部材６６（図１参照）に連動する発射ボリューム６５ａからの入力信号とを読み出し、発射部３１（図２参照）の発射用ソレノイド３１ａを通電制御し、遊技球を発射させる。
【００８３】
第１の実施形態では、発射用ソレノイド３１ａの回転速度は、発射制御基板３６に設けられた水晶発振器の出力周期に基づく周波数から、約９９．９（回／分）に設定されている。これにより、１分間における発射遊技数は、発射用ソレノイド３１ａが１回転する毎に１個発射されるため、約９９．９（個／分）となる。
【００８４】
ランプ制御基板４０４は、前記各基板と同様に、ランプＣＰＵ４０４ａ、ランプＲＯＭ４０４ｂ、ランプＲＡＭ４０４ｃを備えており、遊技盤２に設けられた電飾装置８９、９３及び装飾部材１０１の発光ダイオードを点灯制御する。また、演出用役物装置９１、９２を作動させるソレノイドやモータ等の駆動源を通電制御する。さらに、ランプ制御基板４０４は、チャンスボタンユニット７６の複数の発光ダイオード７６ｂを点灯制御する。このランプ制御基板４０４は、演出制御基板４０２に接続されており、演出制御基板４０２から送信されたコマンドに基づいて、前記の各制御を行うこととなる。
【００８５】
画像制御基板４０５は、少なくとも画像出力装置４５に表示される動画や静止画等の画像を制御する画像制御部４０５Ｂと、スピーカ３２Ｌ、３２Ｒから出力される音を制御する音声制御部４０５Ｃと、画像制御部４０５Ｂ及び音制御部４０５Ｃを統括制御する統括部４０５Ａとを有する。
【００８６】
画像制御基板４０５の統括部４０５Ａは、演出制御基板４０２から送信される演出確定コマンドを受信し、統括部４０５Ａの統括ＣＰＵ４０５Ａ１が画像出力装置４５に表示される画像の制御及びスピーカ３２Ｌ、３２Ｒから出力される音の制御を行う。統括ＲＯＭ４０５Ａ２には、当該統括ＣＰＵ４０５Ａ１の実行する制御プログラムが記憶されている。統括ＣＰＵ４０５Ａ１は、統括ＲＯＭ４０５Ａ２が接続されるとともに、統括ＲＡＭ４０５Ａ３が接続されており、統括ＣＰＵ４０５Ａ１の動作に必要な制御プログラムが読み出されるようになっている。
【００８７】
また、統括ＣＰＵ４０５Ａ１は、画像制御部４０５Ｂの画像ＣＰＵ４０５Ｂ１、及び、音制御部４０５Ｃの音ＣＰＵ４０５Ｃ１に接続される。画像ＣＰＵ４０５Ｂ１は画像出力装置４５に表示させる画像に対応する画像信号を生成し、生成した画像信号を画像出力装置４５の駆動回路に送信する。一方、音ＣＰＵ４０５Ｃ１は、スピーカ３２Ｌ、３２Ｒから出力させる音に対応する音信号を生成し、生成した音信号をスピーカ３２Ｌ、３２Ｒの駆動回路に送信する。
【００８８】
画像ＣＰＵ４０５Ｂ１には、画像ＲＯＭ４０５Ｂ２が接続されている。画像ＲＯＭ４０５Ｂ２には、画像ＣＰＵ４０５Ｂ１の実行する制御プログラムが記憶されている。画像ＲＯＭ４０５Ｂ２からは、画像ＣＰＵ４０５Ｂ１の動作に必要な制御プログラムが画像ＣＰＵ４０５Ｂ１の制御により読み出されるようになっている。また、画像ＣＰＵ４０５Ｂ１は、画像出力装置４５に表示する、例えば背景、キャラクタ、装飾図柄等の画像に係る画像データも予め記憶されている。また、画像ＣＰＵ４０５Ｂ１は、生成した画像信号を展開して記憶させる画像ＲＡＭ４０５Ｂ３にも接続されている。
【００８９】
なお、画像ＣＰＵ４０５Ｂ１は、画像出力装置４５に対して、背景画像表示処理、装飾図柄表示処理、キャラクタ画像表示処理など各種画像処理を実行するが、背景画像、装飾図柄画像、キャラクタ画像は、画像出力装置４５の表示画面上において重畳表示される。すなわち、装飾図柄画像やキャラクタ画像は背景画像よりも手前に見えるように表示される。このとき、同一位置に背景画像と図柄画像が重なる場合、Ｚバッファ法など周知の陰面消去法により各画像データのＺバッファのＺ値を参照することで、図柄画像を優先して画像ＲＡＭ４０５Ｂ３に記憶させる。
【００９０】
一方、音ＣＰＵ４０５Ｃ１にも、音声ＲＯＭ４０５Ｃ２が接続されている。音声ＲＯＭ４０５Ｃ２には、音ＣＰＵ４０５Ｃ１の実行する制御プログラムが記憶されている。音声ＲＯＭ４０５Ｃ２からは音４０５Ｃ１の動作に必要な制御プログラムが音ＣＰＵ４０５Ｃ１の制御により読み出されるようになっている。音４０５Ｃ１には、スピーカ３２Ｌ、３２Ｒから出力される音の音データも予め記憶されている。また、音ＣＰＵ４０５Ｃ１は、生成した音信号を展開して記憶する音ＲＡＭ４０５Ｃ３にも接続されている。
【００９１】
一方、上述の遊技情報出力端子板４０３は、主制御基板４０１において生成された外部信号を遊技店のホールコンピュータ及び遊技情報表示装置１０に伝達するための中継的な基板である。第１の実施形態においては、遊技情報出力端子板４０３は出力側で遊技情報表示装置１０にのみ直接接続されており、遊技情報表示装置１０を介してホールコンピュータに接続されている。遊技情報出力端子板４０３は、主制御基板４０１と配線接続され、遊技店のホールコンピュータ等と接続をするためのコネクタが設けられている。
【００９２】
なお、第１の実施形態では遊技情報出力端子板４０３は遊技情報表示装置１０を介してホールコンピュータに接続されているが、遊技情報出力端子板４０３から遊技情報表示装置１０及びホールコンピュータの双方に接続される構成でもよい。また、遊技情報出力端子板４０３はホールコンピュータを介して遊技情報表示装置１０に接続される構成でもよい。
【００９３】
上述の払出情報出力端子板３９は、払出制御基板３７において生成された、賞球払出個数を示す賞球要求信号及び貸し球払出個数を示す球貸要求信号をホールコンピュータに出力するための中継的な基板である。第１の実施形態においては、払出情報出力端子板３９も遊技情報表示装置１０を介してホールコンピュータに接続されている。払出情報出力端子板３９は、払出制御基板３７と配線接続され、遊技店のホールコンピュータ等と接続をするためのコネクタが設けられている。
【００９４】
なお、第１の実施形態では払出情報出力端子板３９は遊技情報表示装置１０を介してホールコンピュータに接続されているが、払出情報出力端子板３９から遊技情報表示装置１０及びホールコンピュータの双方に接続される構成でもよい。また、払出情報出力端子板３９はホールコンピュータを介して遊技情報表示装置１０に接続される構成でもよい。
【００９５】
電源基板３８は、コンデンサからなるバックアップ電源を備えており（図示せず）、遊技機に供給する電源電圧を監視し、電源電圧が所定値以下となったときに、電断検知信号を主制御基板４０１に出力する。より具体的には、電断検知信号がハイレベルになるとメインＣＰＵ４０１ａは動作可能状態になり、電断検知信号がローレベルになるとメインＣＰＵ４０１ａは動作停止状態になる。バックアップ電源はコンデンサに限らず、例えば、電池でもよく、コンデンサと電池とを併用して用いてもよい。
【００９６】
以下、遊技機１の各部材について詳細に説明する。
図１０乃至図１８は本発明に係る第１の実施形態を示し、図１０は、固定枠２の分解斜視図である。図１１は、遊技盤取付枠３の斜視図である。図１２は遊技盤４の斜視図である。図１３は、前扉体６の右斜め前方から見た斜視図である。図１４は、前扉セット５の右斜め後方から見た斜視図である。図１５は、固定枠２と遊技盤取付枠３を組み立てた状態の斜視図である。図１６は、固定枠２と遊技盤取付枠３を組み立て遊技盤取付枠３に遊技盤４を取り付けた状態の斜視図である。図１７は、固定枠２から遊技盤取付枠３を開いた状態の遊技機１の斜視図である。図１８は、遊技盤取付枠３から前扉セット５０５を開いた状態の遊技機１の斜視図である。
【００９７】
まず、固定枠２について詳細に説明する。
図１０において、第１の実施形態における固定枠２は、固定枠本体２１と、装飾部材２２と、ネジ２３、２３とから構成されている。
【００９８】
固定枠本体２１は、例えば上下辺部１１１、１１２がアルミ製の板材１２１、１２２と木製の板材１２３、１２４が重ねて構成され、左右側辺部１１３、１１４がアルミ製の板材１２５、１２６により構成され、これら各板材が小ネジ等の離脱可能な締結具により全体として矩形枠状に組み付けられている。
【００９９】
左側辺部１１３の上下端部には、図２に示した開閉連結支持機構１１、１２の上軸受片１３１及び下軸受片１３２がそれぞれ設けられている。当該上軸受片１３１及び下軸受片１３２にて、図１５に示すように、遊技盤取付枠３の上下部が回動可能に支持されており、これにより遊技盤取付枠３が開閉可能となる。
【０１００】
図１０において、右側辺部１１４の枠内側面の上部及び下部には、遊技盤取付枠３に設けられた後述する施錠装置１６１（図１１参照）の内枠鉤部１６３、１６４（図１１参照）に対応して、上下一対の鉤受部１３３、１３４が設けられている。これにより、固定枠２に対して遊技盤取付枠３が閉じられた状態で、内枠鉤部１６３、１６４は、当該鉤受部１３３、１３４に係止される。
【０１０１】
さらに、固定枠２の下辺部１１２には、樹脂製の装飾部材２２がネジ２３、２３によりネジ止め固定されている。装飾部材２２の前面上側には、前方を向く垂直面部１４１が設けられている。装飾部材２２の前面下側には、前側斜め下方を向く傾斜面部１４２が設けられている。
【０１０２】
次に、遊技盤取付枠３を詳細に示す。
図１１において、遊技盤取付枠３は、外形が矩形状をなす樹脂ベース１５１を主体に構成されており、当該樹脂ベース１５１の中央部には略四角形状の部品挿入孔１５２が形成されている。
部品挿入孔１５２には、図６に示した遊技盤４の主制御基板４０１、演出制御基板４０２、遊技情報出力端子板４０３、基板ケース４１１、４１３及び背面カバー４１２が挿入される。
【０１０３】
図１１において、当該樹脂ベース１５１の部品挿入孔１５２の前側には、遊技盤４の遊技板４０が内側に挿入される枠状部１５３が形成されている。
枠状部１５３は、上壁１５４、下壁１５５、左側壁１５６、右側壁１５７からなる内側四面によって略長方形状の囲繞空間が形成され、この囲繞空間に図２に示す遊技盤４（図１２参照）が固定される。遊技盤４を固定する手段として、枠状部１５３の左側壁１５６の枠形状内側面の上下部には、遊技盤止め具１５８ａ、１５８ｂが設けられており、上壁１５４および下壁１５５のそれぞれ右側壁１５７寄りには遊技盤固定具１５９、１６０が設けられている。
【０１０４】
遊技盤取付枠３に遊技盤４を固定する場合、図１６に示すように、遊技盤４の遊技板４０の左辺が遊技盤止め具１５８ａ、１５８ｂに嵌入され、遊技盤４の遊技板４０の右上コーナー及び右下コーナーが遊技盤固定具１５９、１６０により押さえつけられる。
【０１０５】
遊技盤取付枠３に固定された遊技盤４は、遊技盤固定具１５９、１６０を操作することで遊技盤取付枠３からの取り外しが可能になる。
【０１０６】
図１１に示すように、遊技盤取付枠３の右面には、施錠装置１６１が設けられている。施錠装置１６１は、前方に設けられた内枠鉤部１６２と、後方に設けられた内枠鉤部１６３、１６４とを備え、前方に設けられた連動用突起部１６５、１６６の動作に連動して内枠鉤部１６２、１６３、１６４が上下にスライドするようになっている。連動用突起部１６５、１６６は、前扉セット５のシリンダ錠１３のロータと連動するスライド部１４（図１４参照）により作動される。
【０１０７】
作業者がシリンダ錠１３（図４参照）の鍵穴に鍵を挿入して時計回りに操作した場合、前扉セット５（図１４参照）のスライド部１４（図１４参照）が中間部から下側にスライドし、図１１に示す施錠装置１６１の連動用突起部１６５が下側にスライドして内枠鉤部１６３、１６４が下側に押し下げられて、内枠鉤部１６３、１６４による当該鉤受部１３３、１３４（図１０参照）の係止が解除して固定枠２に対して遊技盤取付枠３が図１７に示すように開放可能になる。
【０１０８】
作業者がシリンダ錠１３（図４参照）の鍵穴に鍵を挿入して反時計回りに操作した場合、前扉セット５のスライド部１４（図１４参照）が中間部から上側にスライドし、図１１に示す施錠装置１６１の連動用突起部１６６が上側にスライドして内枠鉤部１６２が上側に押し上げられて、内枠鉤部１６２による鉤受部１５（図１４参照）の係止が解除して遊技盤取付枠３に対して前扉セット５が図１８に示すように開放可能になる。
【０１０９】
また、遊技盤取付枠３の右下側の内側面には、前扉セット５の前扉体６から延出するハーネス２４３を保持するフック１６７が設けられている。遊技盤取付枠３の右下側には、ハーネス２４３を遊技盤取付枠３の裏側へ挿通させる貫通部１６８が設けられている。
【０１１０】
遊技盤取付枠３の左側辺部の上下端部には、図２に示した開閉連結支持機構１１、１２の上軸取付片１６９及び下軸取付兼軸受片１７０がそれぞれ設けられている。上軸取付片１６９及び下軸取付兼軸受片１７０には、それぞれ軸１７１、１７２が設けられている。軸１７１、１７２は、固定枠２（図１０参照）の上軸受片１３１及び下軸受片１３２にて回転可能な状態で軸受けが行われるようになっている。上軸取付片１６９及び下軸取付兼軸受片１７０は、図１８に示すように前扉セット５の前扉体６の上下部を回動可能に支持するようになっている。
【０１１１】
以下、遊技盤４について詳細に説明する。
図１２において、遊技盤４は、合板の前面に樹脂シートを貼り付けた構造の遊技板４０にセンター役物４４等の各種所物や遊技釘４２７を配置したものである。
【０１１２】
遊技盤４の前面には、遊技領域４１が形成されている。
センター役物４４は、前記遊技領域４１の中央に設けられ、開口部４２２が形成された枠部材４２１を主要構成とする前側ユニット４２０を有し、当該開口部４２２の背面側に画像出力装置４５が配置されている。画像出力装置４５の開口部４２２から露出する部分は、画面４２３となっている。
【０１１３】
センター役物４４の枠部材４２１の上側中央の若干左寄りには、曲面部４２４（図３参照）が設けられており、遊技領域４１は、この曲面部４２４から左右に分岐して左打ち用の遊技領域４２５と勢いが付きすぎた遊技球を減速させて回収口５１に導く線路４２６に分けられている。
【０１１４】
左打ち用の遊技領域４２５には、多数本の遊技釘４２７とともに、入賞ゲート４９、普通入賞口５０ａ、５０ｂ、５０ｃ、５０ｄ、風車４２８、第１始動口４６、第２始動口４８、大入賞口ユニット５８等が配置されている。大入賞口ユニット５８は、遊技板４０を貫通する取付孔に取り付け固定される。
【０１１５】
一方、枠部材４２１の左側壁４３１には、左打ち用の遊技領域４２５を落下する遊技球が付近の遊技釘４２７の誘導により比較的低い確率で突入するワープ経路４３２が設けられている。
【０１１６】
枠部材４２１の下壁４３３の正面側の上面には、ワープ経路４３２を通過した遊技球が転がるステージ面４３４が形成されている。ステージ面４３４の中央には遊技球を第１始動口４６に誘導する誘導孔４３５の入り口４３６が設けられている。誘導孔４３５の出口４３７は、第１始動口４６の上方に位置する。ステージ面４３４の手前には、ステージ面４３４から転落した遊技球が転がるステージ面４３８が形成されている。ステージ面４３８の中央には、遊技球を第１始動口４６に誘導する誘導溝４３９が形成されている。
【０１１７】
枠部材４２１の左側壁４３１、下壁４３３、右側壁４４０、上壁４４１により囲まれる領域は、上述の開口部４２２となっている。
【０１１８】
遊技球は、通常の遊技状態で、曲面部４２４よりも左下側に落下して左打ち用の遊技領域４２５に導かれ、遊技釘４２７や風車４２８に衝突しながら、あるものは、ワープ経路４３２、ステージ面４３４及び誘導孔４３５を通過し第１始動口４６に落下し、また、あるものは、ステージ面４３８及び誘導溝４３９を通過し第１始動口４６に落下し、また、あるものは、ワープ経路４３２を介さず直接下方に落下し、普通入賞口５０ａ、５０ｂ、５０ｃ、５０ｄまたは第１始動口４６に入賞し、また、あるものは、アウト球として回収口５１に集合し、アウト球通路孔を通って遊技盤４の裏面（背面）側に排出される。
【０１１９】
遊技板４０の上側の延出部１００の前面には、刀をデザインした立体形状の装飾部材１０１が延出部１００の後側からのネジ止めにより取り付けられている。
【０１２０】
装飾部材１０１の中央には、刀の刃をデザインした発光部４５１が設けられている。発光部４５１の内部には、複数の発光ダイオード４５２が設けられている。複数の発光ダイオード４５２は、ハーネス４５３を介して背面カバー４１２内に設けられたランプ制御基板４０４（図９参照）に接続されており、遊技機１の演出内容に応じて各種発光パターンで発光するようになっている。
【０１２１】
以下、前扉体６と受皿ユニット７について詳細に説明する。
図１３において、前扉体６の遊技盤視認用透明窓６１の下側には、不透明部６８が設けられている。不透明部６８の表面の左側には、球払出口６４が設けられる。
【０１２２】
図１４において、不透明部６８の裏面側には、球払出口６４に繋がる遊技球ガイド２４１が設けられている。遊技球ガイド２４１は、レール４２、４３（図１２参照）から逆流して落下する遊技球及び払出装置３５（図５参照）から払い出された遊技球を球払出口６４に導く。不透明部６８の背面における球払出口６４より右側には、開口部２４２が設けられ、この開口部２４２から受皿ユニット７の操作ハンドル６５の発射ボリューム６５ａ（図９参照）及びタッチセンサ６５ｂ（図９参照）等の電子部品と接続するハーネス２４３が延出している。
【０１２３】
透明板状部６７の略中央には、受皿ユニット７の背面に設けられた遊技球ガイド部材２０１が挿入される貫通孔２４４が形成されている。
【０１２４】
透明板状部６７の右側には、遊技盤取付枠３に設けられたスピーカ３２Ｌ、３２Ｒ（図１１参照）からの音声を通過させる左右の貫通孔２４５Ｌ、２４５Ｒが形成されている。左右の貫通孔２４５Ｌ、２４５Ｒは、左右の音伝達管路２４６Ｌ、２４６Ｒを介して平行四辺形形状放音部８７Ｌ、８７Ｒに繋がっている。スピーカ３２Ｌ、３２Ｒ（図１１参照）からの音声は、左右の貫通孔２４５Ｌ、２４５Ｒ及び左右の音伝達管路２４６Ｌ、２４６Ｒを通って平行四辺形形状放音部８７Ｌ、８７Ｒから外部に放音される。
【０１２５】
不透明部６８の左右両脇には、ネジ２４７、２４７のネジ部が挿通するネジ挿通孔が設けられている。受皿ユニット７の裏側には、ネジ２４７のネジ部が螺入するネジ螺入孔が設けられている。ネジ２４７、２４７は、ネジ部が不透明部６８のネジ挿通孔に挿通し、受皿ユニット７の裏側のネジ螺入孔に螺入して締め付けられることで、不透明部６８の前面に受皿ユニット７をネジ止固定する。
【０１２６】
受皿ユニット７の背面に設けられた遊技球ガイド部材２０１（図１４参照）は、受皿ユニット７の遊技球供給口８３からの遊技球を遊技盤取付枠３の発射部３１に導く。
以下、前扉体６の裏側について更に詳細に説明する。
【０１２７】
図１４において、前扉体６の透明収納部６２は、平面形状の中間部２１１（図１３参照）、左右のコーナー部２１２、２１３（図１３参照）及び上側の水平面部２１４、左右の側壁部２１５、２１６及び上側枠部２３０により形成される。透明収納部６２は、中間部２１１、左右のコーナー部２１２、２１３、上側の水平面部２１４及び左右の側壁部２１５、２１６及び上側枠部２３０により背面側に形成される凹部２１７に遊技盤４（図１２参照）側の立体形状の装飾部材１０１を収納するようになっている。
【０１２８】
側壁部２１５、２１６は、遊技盤視認用透明窓６１の左右に配置する側壁部２２１、２２２に繋がっている。
【０１２９】
遊技盤視認用透明窓６１は上辺が直線状に形成され、左右両辺が側方に向けて膨出するように湾曲する。遊技盤視認用透明窓６１の上側には、略平面形状の上側枠部２３０が斜め前側上方に延出して設けられている。遊技盤視認用透明窓６１の左右には、左右の曲面形状の枠部２３１、２３２が前方に延出して設けられている。
【０１３０】
左右の側壁部２２１、２２２と左右の曲面形状の枠部２３１、２３２の間は、図１３に示すように前方から見て板面が斜め下方に向く平面部２３３、２３４になっている。中間部２１１、左右のコーナー部２１２、２１３及び平面部２３３、２３４は、同一平面上に形成されている。
【０１３１】
図１４において、上側の水平面部２１４、左右の側壁部２１５、２１６、左右の側壁部２２１、２２２の外側面の後ろ側には、不透明の塗料の塗装による帯状の不透明部２３５が形成されている。前扉体６の左側辺部の上下端部には、図２に示した開閉連結支持機構１１、１２の上軸取付片２６１及び下軸取付片２６２がそれぞれ設けられている。上軸取付片２６１及び下軸取付片２６２には、それぞれ軸２６３、２６４が設けられており、軸２６３、２６４は、固定枠２（図１０参照）の上軸受片１３１（図１０参照）及び遊技盤取付枠３（図１１参照）の下軸取付兼軸受片１７０（図１１参照）にて回転可能な状態で軸受けが行われるようになっている。上側の軸２６３は、上軸取付片２６１の本体に対して上下にスライド可能であるとともに、図示しないコイルばねにより上方に付勢されている。上側の軸２６３を上軸受片１３１（図１１参照）の下側の軸受穴に取り付ける際には、上側の軸２６３を一旦下方にスライドさせる。
【０１３２】
以下、固定枠２に対する遊技盤取付枠３の開閉動作について説明する。
図１７において、開閉連結支持機構１１、１２（図２参照）による固定枠２に対する遊技盤取付枠３の開閉軸線Ｌ１は、上述したように遊技機１の正面からみて左側において上下に沿って設定されており、この開閉軸線を軸心として固定枠２に対して遊技盤取付枠３が前方側に開放できるようになっている。
【０１３３】
以下、遊技盤取付枠３に対する前扉セット５の開閉動作について説明する。
図１８において、遊技盤取付枠３の前面側には、前扉セット５が開閉可能に取付けられている。前扉セット５は、遊技盤取付枠３と同様に、開閉連結支持機構１１、１２（図２参照）により、遊技機１の正面から見て左側において上下に沿って設定された開閉軸線Ｌ１を軸心として前方側に開放できるようになっている。前扉セット５の前扉体６から延出するハーネス２４３は、フック１６７により保持され貫通部１６８に挿通する。貫通部１６８を介して遊技盤取付枠３の裏側へ挿通したハーネス２４３は、遊技盤取付枠３側の発射制御基板３６（図６参照）、払出制御基板３７（図６参照）及び電源基板３８（図６参照）等に電気的に接続するとともに、中継基板及びハーネスを介して遊技盤４側の主制御基板４０１（図６参照）、演出制御基板４０２（図６参照）等に電気的に接続する。
【０１３４】
図１８の状態の遊技盤取付枠３に対して前扉セット５を閉じた場合、透明収納部６２に遊技盤４側の立体形状の装飾部材１０１が前扉セット５の裏側から収納され、施錠装置１６１の内枠鉤部１６２が前扉セット５の鉤受部１５を係止して、遊技盤取付枠３に対して前扉セット５が閉じた状態で施錠される。遊技盤取付枠３に対して前扉セット５が閉じた状態では、遊技盤視認用透明窓６１により遊技盤４のレール４２、４３間を上昇する遊技球及び遊技盤４の遊技領域４１内を落下する遊技球９０１（図７参照）が前方に移動して脱落するのを阻止している。
【０１３５】
このような構成及び動作を纏めて説明すると、固定枠２は、枠状に形成されている。
【０１３６】
遊技盤取付枠３は、枠状に形成され、前記固定枠２に対して開閉可能に支持され、枠形状の内側に遊技盤４が着脱可能になっている。
【０１３７】
前扉体６は、前記遊技盤取付枠３の前面に開閉可能な状態で支持され、前記遊技盤取付枠３に取り付けられた遊技盤４を視認可能にする遊技盤視認用透明窓６１が設けられるとともに、透明性を有した透明収納部６２が前記遊技盤視認用透明窓６１の上側に形成され、当該透明収納部６２に立体形状の装飾部材１０１を挿脱可能な状態で収納する。
受皿ユニット７は、前記前扉体６の前記遊技盤視認用透明窓６１より下側に設けられ、遊技球の貯留を行う上側が開放した凹形状の遊技球供給皿７１が形成され、当該遊技球供給皿７１の縁部に上側パネル部７２が形成され、当該上側パネル部７２の幅方向の中央部に開口部が形成され、当該上側パネル部７２の一方及び他方の脇側の手前に段部７３Ｌ、７３Ｒを介して下側に配置する下側パネル部７４Ｌ、７４Ｒを有する受皿部になっている。
【０１３８】
チャンスボタンユニット７６のチャンスボタン５０１は、前記上側パネル部７２の前記開口部７５に挿入した状態で取付けられ、演出に関わる外部操作が可能な操作面を有する演出用操作ボタンになっている。
前記上側パネル部７２の幅方向の中間に位置する前記開口部７５の縁部７７は、当該上側パネル部７２の側方側の部分７８Ｌ、７８Ｒより手前に突出させて形成されている。前記チャンスボタン５０１の前記操作面５０２は、前後幅の５０％以上（第１の実施形態の場合約９０％）が前記上側パネル部７２の側方側の部分７８Ｌ、７８Ｒより手前側に配置している。
【０１３９】
前記上側パネル部７６の側方側の部分７８Ｒには、情報を表示する情報表示手段として表示部８１が設けられている。
遊技球貸出装置２０（図３参照）は、記録媒体の挿排口としてカード挿排口５００を備え当該記録媒体に記録された金額の残高に応じて遊技球の球貸しの制御を行になっている。遊技機１は、遊技球貸出装置２０が送受信可能に接続され、前記記録媒体に記録された金額の残高の情報を表示部８１に表示する。
前記下側パネル部７４Ｌ、７４Ｒの下側には演出用の照明を行う下側電飾部として複数の電飾装置８９が設けられている。
前記下側パネル部７４Ｌ、７４Ｒには音声の放音を行う左右の平行四辺形形状放音部８７Ｌ、８７Ｒが設けられている。
前記装飾部材１０１は、前記遊技盤４に取り付け固定されている。  
【０１４０】
前記遊技盤視認用透明窓６１及び前記透明収納部６２は、透明の素材により一体成形されている。
遊技盤視認用透明窓６１は、遊技盤４の遊技領域４１を視認可能にする。透明収納部６２は、装飾部材１０１を外部から視認可能にする。
【０１４１】
以上説明した本発明の第１の実施形態によれば、前扉体６には、透明性を有した透明収納部６２が前記遊技盤視認用透明窓６１の上側に形成され、当該透明収納部６２には立体形状の装飾部材１０１を挿脱可能な状態で収納するので、遊技盤４の交換の際に遊技盤視認用透明部である前記遊技盤視認用透明窓６１の周囲を装飾する装飾部を遊技盤４の機種に個別に対応して新しくするとともに、装飾部の立体感を高め、装飾部に可動部や発光部等の演出装置を組み込むのを容易にして、遊技者に新台入替の目新しさを強く感じさせることができる。また、本発明の第１の実施形態によれば、前記受皿ユニット７の前記下側パネル部７４Ｌ、７４Ｒには音声の放音を行う左右の平行四辺形形状放音部８７Ｌ、８７Ｒが設けられていので放音部の効率的な配置を行うことができ、さらに平行四辺形形状放音部８７Ｌ、８７Ｒが目立つ位置にあるので、平行四辺形形状放音部８７Ｌ、８７Ｒから不正器具を挿入する等の不正行為を防止できる。また、本発明の第１の実施形態によれば、前記チャンスボタン５０１の前記操作面５０２は、前後幅の約９０％が前記上側パネル部７２の側方側の部分７８Ｌ、７８Ｒより手前側に配置しているので、遊技者が初心者の場合にも、容易に演出用操作ボタンであるチャンスボタン５０１の位置の確認を行え、演出用操作ボタンの操作による演出を容易に体験させることができ、遊技者と遊技施設の関係者の双方に好印象を与えることができる。
【０１４２】
尚、図１乃至図１８に示した第１の実施形態では、前記装飾部材１０１を収納する透明収納部６２を前記遊技盤視認用透明窓６１の上側のみに形成したが、前記装飾部材を収納する透明収納部は、前記遊技盤視認用透明窓６１の上側、一方及び他方の脇側のうち少なくとも一つの側に形成すればよく、上側、一方及び他方の脇側の全てに形成してもよい。また、図１乃至図１８に示した前記装飾部材１０１には、電動で駆動する可動部を演出装置として組み込んでもよい。また、図１乃至図１８に示した第１の実施形態では、前記チャンスボタン５０１の前記操作面５０２は、前後幅の約９０％を前記上側パネル部７２の側方側の部分７８Ｌ、７８Ｒより手前側に配置したが、前記チャンスボタン５０１の前記操作面５０２は、前後幅の約５０％以上が前記上側パネル部７２の側方側の部分７８Ｌ、７８Ｒより手前側に配置するように構成すればよく、これにより遊技者が初心者の場合にも、容易に演出用操作ボタンであるチャンスボタン７０１の位置の確認を行える。
以下、本発明の第２の実施形態について説明する。
【０１４３】
（２）第２の実施形態
本発明に係る第２の実施形態の遊技機を示す斜視図である。
図１９及び図２０は本発明に係る第２の実施形態を示している。
【０１４４】
図１９は、本発明に係る第２の実施形態の遊技機１を示す斜視図である。図２０は、受皿ユニットの上側パネル部及びその周辺部を示す平面図である。尚、図１９及び図２０を用いた第２の実施形態の説明では、図１乃至図１８に示した第１の実施形態と同様の構成要素には、同じ符号を付して説明を諸略している。図１９及び図２０に図示されていない構成要素は、図１乃至図１８に示した第１の実施形態と同様になっている。
【０１４５】
図１９において、初めに遊技機６０１の全体構成の説明をする。
図１９において、遊技機６０１は、固定枠（外枠）２と、遊技盤取付枠（内枠）３（図１参照）と、遊技盤４（図１参照）と、前扉セット６０５とから構成されている。
前扉セット６０５は、前扉体６０６と受皿ユニット６０７とから構成されている。
前扉体６０６は、前記遊技盤取付枠３の前面に開閉可能な状態で支持され、前記遊技盤取付枠３に取り付けられた遊技盤４（図１参照）を視認可能にする遊技盤視認用透明窓６６１が設けられるとともに、透明性を有した透明収納部６６２が前記遊技盤視認用透明窓６６１の上側に形成され、当該透明収納部６６２に立体形状の装飾部材１０１（図１参照）を挿脱可能な状態で収納する。
【０１４６】
受皿ユニット６０７の遊技球供給皿６７１の前側及び左右の縁部には、上側パネル部６７２が形成されている。上側パネル部６７２の左右両脇側の手前には、左右の段部６７３Ｌ、６７３Ｒを介して下側に配置する左右の下側パネル部６７４Ｌ、６７４Ｒを有している。上側パネル部６７２は、板面が前側斜め上方に向いている。
上側パネル部６７２の幅方向の中央部に開口部６７５が形成されている。
開口部６７５には、チャンスボタンユニット６７６が設けられている。
チャンスボタンユニット６７６は、円盤形状に形成され、上側の端面に外部操作が可能なチャンスボタン７０１の操作部７０２を有している。操作部７０２には、印刷によりマーク７０５が表記されている。チャンスボタンユニット６７６の内部には、チャンスボタン７０１の操作部７０２に操作が行われたこと検出するチャンスボタン検出スイッチ７６ａ（図９参照）と、チャンスボタン７０１の操作部７０２が発光したように見せるための複数の発光ダイオード７６ｂ（図９参照）が設けられている。
【０１４７】
上側パネル部６７２は、当該上側パネル部６７２の幅方向の中間に位置する前記開口部６７５の縁部６７７を当該上側パネル部６７２の左右の側方側の部分６７８Ｌ、６７８Ｒより手前に突出させて形成し、チャンスボタン７０１の操作部７０２は、前後幅の約６０％が前記上側パネル部６７２の側方側の部分６７８Ｌ、６７８Ｒより手前側に配置している。
チャンスボタンユニット６７６の操作部７０２による操作は例えば遊技中における特定のリーチ演出に際し、チャンスボタンユニット６７６の操作を促すガイダンスが表示されている間有効となる。右の下側パネル部６７４Ｒには、遊技球貸出装置２０（図３参照）に関わる変換ボタンとしての球貸しボタン６７９と、返却ボタン６８０が左右に並べて設けられている。上側パネル部７２の右の側方側の部分６７８Ｒには、複数のＬＥＤの点灯によって情報の表示を行う表示部６８１が設けられている。
【０１４８】
遊技機６０１は、図３に示す遊技球貸出装置（ＣＲ機）２０が送受信可能に接続されるようになっている。遊技球貸出装置２０は、プリペイドカード等の記録媒体のカード挿排口５００を備え当該記録媒体に記録された金額の残高に応じて遊技球の球貸しの制御を行う。図１に示す表示部６８１は、遊技球貸出装置２０に挿入された前記記録媒体に記録された金額の残高の情報を表示するとともに前記球貸しボタン６７９と、返却ボタン６８０が有効中であるか否かを表示する。
【０１４９】
図１９において、上側パネル部６７２の表示部６８１の左側には、整列路６８２が設けられている。整列路６８２は、遊技球供給口６８３に向けて下方にわずかに傾斜しており、前記遊技球供給皿６７１からの遊技球を整列させて遊技球供給口６８３に導く。
【０１５０】
チャンスボタンユニット６７６の右側には、球抜きボタン６８４が設けられている。遊技機６０１は、球抜きボタン６８４を手動で押し続けることにより、整列路６８２の先端に設けた開閉板を移動させて球皿側球排出口６８５を開放し、遊技球供給皿６７１に貯留された遊技球を球抜きして下側球排出口６８６に送るようにしている。下側球排出口６８６から排出される遊技球は、通常、ドル箱と呼ばれる遊技球収納箱に受け止められ収納される。
【０１５１】
上側パネル部６７２の左右両脇側の手前の左右の段部６７３Ｌ、６７３Ｒには、遊技盤取付枠３に設けられたスピーカ３２Ｌ、３２Ｒ（図２参照）からの音声の放音を行う左右の横長形状放音部６８７Ｌ、６８７Ｒが設けられている。
左右の下側パネル部６７４Ｌ、６７４Ｒ及び上側パネル部６７２の縁部６７７の下側には、透明部６８８が設けられ、透明部６８８の内側には演出用の発光を行う電飾装置６８９が設けられている。透明部６８８の左右には、側方に向かうに従い後方に湾曲する左右の曲面部６９１Ｌ、６９１Ｒが設けられている。右の曲面部６９１Ｒは、シリンダ錠１３及び操作ハンドル６５が設けられている。
【０１５２】
図２０において、チャンスボタン７０１の操作部７０２の前後幅をＢ１とし、操作部７０２の当該上側パネル部６７２の左右の側方側の部分６７８Ｌ、６７８Ｒより手前に突出する操作部７０２の突出量をＢ２にすると、操作部７０２の突出量Ｂ２は、操作部７０２の前後幅Ｂ１の約６０％になっている。
このような構成を纏めて説明すると、前記上側パネル部６７２の幅方向の中間に位置する前記開口部６７５の縁部６７７は当該上側パネル部６７２の側方側の部分６７８Ｌ、６７８Ｒより手前に突出させて形成されている。前記チャンスボタン７０１の前記操作面７０２は、前後幅の５０％以上（第２の実施形態の場合約６０％）が前記上側パネル部６７２の側方側の部分６７８Ｌ、６７８Ｒより手前側に配置している。
【０１５３】
このような第２の実施形態によれば、前扉体６０６には、透明性を有した透明収納部６２が前記遊技盤視認用透明窓６１の上側に形成され、当該透明収納部６２には立体形状の装飾部材１０１を挿脱可能な状態で収納するので、装飾部材１０１を取り付けた遊技盤４を作業者が交換するだけで、遊技盤４の交換の際に遊技盤視認用透明部である前記遊技盤視認用透明窓６１の周囲を装飾する装飾部を遊技盤４の機種に個別に対応して新しくするとともに、装飾部の立体感を高め、装飾部に可動部や発光部等の演出装置を組み込むのを容易にして、遊技者に新台入替の目新しさを強く感じさせることができる。また、第２の実施形態によれば、上側パネル部６７２の左右両脇側の手前の左右の段部６７３Ｌ、６７３Ｒには、音声の放音を行う左右の横長形状放音部６８７Ｌ、６８７Ｒが設けられているで、放音部の効率的な配置を行うことができる。また、第２の実施形態によれば、前記チャンスボタン７０１の前記操作面７０２は、前後幅の約６０％が前記上側パネル部６７２の側方側の部分６７８Ｌ、６７８Ｒより手前側に配置しているので、遊技者が初心者の場合にも、容易に演出用操作ボタンであるチャンスボタン７０１の位置の確認を行え、演出用操作ボタンの操作による演出を容易に体験させることができ、遊技者と遊技施設の関係者の双方に好印象を与えることができる。また、前記球貸しボタン６７９と、返却ボタン６８０は、前記下側パネル部６７４Ｒに設けられた外部操作可能な下側操作部になっているので、遊技者が前記球貸しボタン６７９と、返却ボタン６８０が不意に触れるのを防止できる。
【０１５４】
尚、図１９及び図２０に示した第２の実施形態では、前記装飾部材１０１を収納する透明収納部６６２を前記遊技盤視認用透明窓６６１の上側のみに形成したが、前記装飾部材を収納する透明収納部は、前記遊技盤視認用透明窓６６１の上側、一方及び他方の脇側のうち少なくとも一つの側に形成すればよく、上側、一方及び他方の脇側の全てに形成してもよい。また、図１乃至図１８に示した前記装飾部材１０１には、電動で駆動する可動部を演出装置として組み込んでもよい。
【０１５５】
また、前記球貸しボタン６７９と、返却ボタン６８０は、左の下側パネル部６７４Ｌに設けてもよい。さらに、図１９及び図２０に示した第２の実施形態では、前記チャンスボタン７０１の前記操作面７０２は、前後幅の約６０％が前記上側パネル部６７２の側方側の部分６７８Ｌ、６７８Ｒより手前側に配置したが、前記チャンスボタン７０１の前記操作面７０２は、前後幅の約５０％以上が前記上側パネル部６７２の側方側の部分６７８Ｌ、６７８Ｒより手前側に配置するように構成すればよく、これにより遊技者が初心者の場合にも、容易に演出用操作ボタンの位置の確認を行える。
【符号の説明】
【０１５６】
１……遊技機、２……固定枠（外枠）、３……遊技盤取付枠（内枠）、
４……遊技盤、５……前扉セット、６……前扉体、７……受皿ユニット、
１１、１２……開閉連結支持機構、１３……シリンダ錠、
２１……固定枠本体、３１……発射部、３２Ｌ、３２Ｒ……スピーカ、
３３……貯留タンク、３４……上部賞球ケース、３５……払出装置、
３６……発射制御基板、３７……払出制御基板、３８……電源基板、
４０……遊技板、４１……遊技領域、４２、４３……レール、
４４……センター役物、４５……画像出力装置、４６……第１始動口、
４７Ｌ、４７Ｒ……可動片、４８……第２始動口、
４９……入賞ゲート、５０ａ、５０ｂ、５０ｃ、５０ｄ……普通入賞口、
５８……大入賞口ユニット、５９……開閉扉、６０……大入賞口、
６１……遊技盤視認用透明窓、６２……透明収納部、
６４……球払出口、６５……操作ハンドル、６６……発射指示部材、
７１……遊技球供給皿、７２……上側パネル部、
７３Ｌ、７３Ｒ……段部、７４Ｌ、７４Ｒ……下側パネル部、
７５……開口部、７６……チャンスボタンユニット、
７６ａ……チャンスボタン検出スイッチ、
７６ｂ……発光ダイオード、７７……縁部、７８Ｌ、７８Ｒ……部分、
７９……球貸しボタン、８０……返却ボタン、８１……表示部、
８２……整列路、８３……遊技球供給口、
８４……球抜きボタン、８５……球皿側球排出口、８６……下側球排出口、
８７Ｌ、８７Ｒ……平行四辺形形状放音部、８８……透明部、
８９、９３……電飾装置、９１、９２……演出用役物装置、
１００…延出部、１０１…装飾部材、２１１……中間部、
２１２、２１３……コーナー部、２１４……水平面部、
２１５、２１６……側壁部、２１７……凹部、
２２１、２２２……側壁部、２３０……上側枠部、
２３１、２３２……枠部、２３３、２３４……平面部、
２３５……不透明部、４０１……主制御基板、
４０２……演出制御基板、４０３……遊技情報出力端子板、
４１１、４１３……基板ケース、４１２……背面カバー、
４５２……発光ダイオード、５００……カード挿排口、
５０１……チャンスボタン、５０２……操作部、
５０５……マーク、６０１……遊技機、
６０５……前扉セット、６０６……前扉体、
６０７……受皿ユニット、６６１……遊技盤視認用透明窓、
６６２……透明収納部、６７１……遊技球供給皿、
６７２……上側パネル部、６７３Ｌ、６７３Ｒ……段部、
６７４Ｌ、６７４Ｒ……下側パネル部、６７５……開口部、
６７６……チャンスボタンユニット、７０１……チャンスボタン、
７０２……操作部、７０５……マーク、６７７……縁部、
６７８Ｌ、６７８Ｒ……部分、６７９……球貸しボタン、
６８０……返却ボタン、６８１……表示部、６８２……整列路、
６８３……遊技球供給口、６８４……球抜きボタン、
６８５……球皿側球排出口、６８６……下側球排出口、
６８７Ｌ、６８７Ｒ……横長形状放音部、６８８……透明部、
６８９……電飾装置、６９１Ｌ、６９１Ｒ……曲面部、
【図１】
2011072554.tif 000003
【図２】
2011072554.tif 000004
【図３】
2011072554.tif 000005
【図４】
2011072554.tif 000006
【図５】
2011072554.tif 000007
【図６】
2011072554.tif 000008
【図７】
2011072554.tif 000009
【図８】
2011072554.tif 000010
【図９】
2011072554.tif 000011
【図１０】
2011072554.tif 000012
【図１１】
2011072554.tif 000013
【図１２】
2011072554.tif 000014
【図１３】
2011072554.tif 000015
【図１４】
2011072554.tif 000016
【図１５】
2011072554.tif 000017
【図１６】
2011072554.tif 000018
【図１７】
2011072554.tif 000019
【図１８】
2011072554.tif 000020
【図１９】
2011072554.tif 000021
【図２０】
2011072554.tif 000022